(57)【要約】【課題】安全かつ簡単な方法で装着が行なえて、後ろなどを振り向くことなく後方などの確認ができて、また、破損した場合には、その破損した部位だけの交換で使用することができる装着用の鏡を提供する。【解決手段】支持片５と支持片５の両端から直角方向へ平行に伸びる挿着手段の備わる片を備えた断面コ字形の取り付け部１と、鏡１１を備えた鏡部３が、蝶着または枢着などの接合手段で接合したり、介在する接続部２と蝶着または枢着あるいは嵌着などの接合手段で互いに接合しあう。また、取り付け部１と、接続部２と、鏡部３とが、それぞれに分離する。【選択図】図１
2011080182.tif 000002
【特許請求の範囲】
【請求項１】
支持片と支持片の両端から直角方向へ平行に伸びる挿着手段の備わる片を備えた断面コ字形の取り付け部と、鏡を備えた鏡部が、前記取り付け部の一端にあるヒンジ部と前記鏡部の一端にあるヒンジ部との蝶着で接合したことを特徴とする装着用の鏡。
【請求項２】
支持片と支持片の両端から直角方向へ平行に伸びる挿着手段の備わる片を備えた断面コ字形の取り付け部と、鏡を備えた鏡部が、前記取り付け部の一端にある凹部と前記鏡部の一端にある凸部との枢着で接合したことを特徴とする装着用の鏡。
【請求項３】
支持片と支持片の両端から直角方向へ平行に伸びる挿着手段の備わる片を備えた断面コ字形の取り付け部と、鏡を備えた鏡部が、前記取り付け部の一端にある凸部と前記鏡部の一端にある凹部との枢着で接合したことを特徴とする装着用の鏡。
【請求項４】
支持片と支持片の両端から直角方向へ平行に伸びる挿着手段の備わる片を備えた断面コ字形の取り付け部と、鏡を備えた鏡部が、前記取り付け部の一端と前記鏡部の一端との間に介在する屈曲自在で且つ屈曲姿勢を保持する形態が兼ね備わる接続部と互いに接合しあい形成するものであって、前記接続部の一端と前記取り付け部の一端とを嵌着による接合手段で接合し、前記接続部の残りの一端と前記鏡部の一端とを嵌着による接合手段で接合して形成したことを特徴とする装着用の鏡。
【請求項５】
支持片と支持片の両端から直角方向へ平行に伸びる挿着手段の備わる片を備えた断面コ字形の取り付け部と、鏡を備えた鏡部が、前記取り付け部の一端と前記鏡部の一端との間に介在する接続部と互いに接合しあい形成するものであって、前記接合を、請求項１〜４に記載の接合手段によるものであることを特徴とする装着用の鏡。
【請求項６】
請求項１〜５に記載の装着用の鏡であって、取り付け部と、接続部と、鏡部とが、それぞれに分離することができることを特徴とする装着用の鏡。
【発明の詳細な説明】
【技術分野】
【０００１】  本発明は、装着用の鏡に関する。
【背景技術】
【０００２】  従来、この種の鏡には、背後の状況を確認する目的で、帽子の鍔等に取り付けるものや、腕や手などの人体に装着できるものがある。
例えば、特許文献１には、鏡と鏡のキャップと鏡のキャップに取り付けた支持棒とを備えて帽子の鍔等に取り付けて背後の状況を確認することができるようにした、背後ミラー及び背後ミラーを取り付けた帽子が記載されている。
また、特許文献２には、鏡本体を備える本体部と、その本体部に連設される人体装着用の取り付け部や装着者の装着物を挟持する挟持式の取り付け部からなるもので、これを人体の腕や手、その他帽子や衣服類に取り付けて背後の状況を確認することができるようにした、人体装着用のバックミラーが記載されている。
【先行技術文献】
【特許文献】
【０００３】
【特許文献１】特開２０００−１５４４１６公報
【特許文献２】特開２００３−１２７９４５公報
【発明の概要】
【発明が解決しようとする課題】
【０００４】  しかしながら、特許文献１に記載の背後ミラーやこの背後ミラーを取り付けた帽子やヘルメットでは、背後ミラーを使用しないときに、背後ミラーを帽子やヘルメットの鍔等から取り外すときには、帽子等の鍔等に取り付けた固定具の締め付け用のネジをすべて緩めなければいけないので、非常に手間が掛かり、緩めるための工具も必要になる。また、逆に、取り付けるときには、固定具を帽子等の所定の位置に合わせてから緩めたネジをすべて締め付けなければいけないので、これもまた非常に手間が掛かって面倒である。【０００５】  つぎに、特許文献２に記載の人体装着用のバックミラーでは、取り付け部が、まず、人体に装着できる屈曲自在な屈曲式の棒状からなる取り付け部であるが、これは人体の手首、腕、手指などへ屈曲させながら巻きつけて取り付けるもので、このバックミラーの取り付け位置を保つためには、この取り付け部が人体の手首、腕、手指などへ多少とも圧迫していなければ取り付け位置を保つことはできない。この圧迫した状態で特に長い時間に亘り手首、腕、手指などへ装着することは、からだの血行を悪くするなど、健康の面からも好ましくない。【０００６】  また、歩行中に背後の状況を腕や手などへ装着したバックミラーを使用して確認するには、背後の確認したい方向を考えて、バックミラーを装着した腕や手を前方などへ動かさなければいけない。これだと両手に物を持っているときなどは一方の手に物をまとめてからか、又は、物を持ったままでバックミラーを装着した腕や手を動かさなければいけないので不便である。【０００７】  また、取り付け部が、一対の挟持片をつる巻きスプリング等で閉じ側に弾性付勢した取り付け部であるが、これは取り付けのときに、つる巻きスプリング等の働きによって閉じている挟持片を指で押しひらいて帽子の鍔などに挟んで取り付けるもので、この指で押しひらいた挟持片を帽子などをかぶったままの状態で帽子の鍔などへ装着しようと近付けたときに、過って指から挟持片が滑り離れてしまったときなどは、つる巻きスプリング等が元の状態に戻ろうとする勢いにより、取り付け部を含むバックミラーが装着者の顔面をめがけて弾け跳んでくるような危険な場面も想定され問題がある。分かりやすくたとえるなら、一般的な洗濯鋏にバックミラーを装着したものが装着者の顔面をめがけて弾け跳んでくるというようなものである。【０００８】  さらに、取り付け部が、一対の挟持片をねじ式の締め付け機構で開閉する取り付け部であるが、これは取り付けのときに、挟持片を開けた状態にしてから帽子の鍔などへ差し入れるもので、取り付けのときは、取り付け位置を保つために締め付けが終わるまでバックミラーまたはバックミラーの取り付け部を片方の手で押さえていなければいけないので取り付けが面倒である。【０００９】  本発明が解決しようとする課題は、安全かつ簡単な方法で装着が行なえて、後ろなどを振り向くことなく後方などの確認ができて、また、破損した場合には、その破損した部位だけの交換で使用することができる装着用の鏡を提供することを目的とする。
【課題を解決するための手段】
【００１０】  請求項１に記載の装着用の鏡は、支持片と支持片の両端から直角方向へ平行に伸びる挿着手段の備わる片を備えた断面コ字形の取り付け部と、鏡を備えた鏡部が、前記取り付け部の一端にあるヒンジ部と前記鏡部の一端にあるヒンジ部との蝶着で接合したことを特徴とする。【００１１】  請求項２に記載の装着用の鏡は、支持片と支持片の両端から直角方向へ平行に伸びる挿着手段の備わる片を備えた断面コ字形の取り付け部と、鏡を備えた鏡部が、前記取り付け部の一端にある凹部と前記鏡部の一端にある凸部との枢着で接合したことを特徴とする。【００１２】  請求項３に記載の装着用の鏡は、支持片と支持片の両端から直角方向へ平行に伸びる挿着手段の備わる片を備えた断面コ字形の取り付け部と、鏡を備えた鏡部が、前記取り付け部の一端にある凸部と前記鏡部の一端にある凹部との枢着で接合したことを特徴とする。【００１３】  請求項４に記載の装着用の鏡は、支持片と支持片の両端から直角方向へ平行に伸びる挿着手段の備わる片を備えた断面コ字形の取り付け部と、鏡を備えた鏡部が、前記取り付け部の一端と前記鏡部の一端との間に介在する屈曲自在で且つ屈曲姿勢を保持する形態が兼ね備わる接続部と互いに接合しあい形成するものであって、前記接続部の一端と前記取り付け部の一端とを嵌着による接合手段で接合し、前記接続部の残りの一端と前記鏡部の一端とを嵌着による接合手段で接合して形成したことを特徴とする。【００１４】  請求項５に記載の装着用の鏡は、支持片と支持片の両端から直角方向へ平行に伸びる挿着手段の備わる片を備えた断面コ字形の取り付け部と、鏡を備えた鏡部が、前記取り付け部の一端と前記鏡部の一端との間に介在する接続部と互いに接合しあい形成するものであって、前記接合を、請求項１〜４に記載の接合手段によるものであることを特徴とする。【００１５】  請求項６に記載の装着用の鏡は、請求項１〜５に記載の装着用の鏡であって、取り付け部と、接続部と、鏡部とが、それぞれに分離することができることを特徴とする。
【発明の効果】
【００１６】  請求項１〜５に係わる装着用の鏡は、工具などを必要とせず、人体に危害を加える心配もなく、安全かつ簡単な方法で装着が行なえる。装着しての使用中には、後ろなどを振り向くことなく後方などの確認ができるので、前方不注意による事故やケガなどを防ぐことができる。また、後ろから来る人などへさりげなく道を譲ることなどにも役立てることができる。また、鏡面の反射を利用して装着者であるこちら側の存在を前方や後方などへ知らせることも可能である。これら取り扱いが簡単なことから、子供から高齢者まで幅広い年齢層での使用が可能となり、通勤・通学・散歩での使用、又は、サイクリング・ジョギング・登山などの各スポーツでの使用、或いは、仕事の性質上必要なところでの使用などと活用の幅は未知数である。【００１７】  請求項６に係わる装着用の鏡は、使用するときの状況が変化した場合に、状況の変化に応じて交換したい部位（取り付け部、接続部、鏡部のそれぞれ）だけを交換することができるので、幾つもの装着用の鏡を持たなくても必要最小限の部位だけを持ち歩けば良いのである。また、破損した場合には、その破損した部位だけの交換で使用が可能となるのでとても経済的である。
【図面の簡単な説明】
【００１８】
【図１】本発明の実施の形態１に係わる装着用の鏡の断面図である。
【図２】本発明の実施の形態１に係わる他の装着用の鏡の断面図である。
【図３】本発明の実施の形態１に係わる他の装着用の鏡の断面図である。
【図４】本発明の実施の形態１に係わる他の装着用の鏡の断面図である。
【図５】本発明の実施の形態１に係わる他の装着用の鏡の断面図である。
【図６】本発明の実施の形態２に係わる装着用の鏡の断面図である。
【図７】本発明の実施の形態２に係わる他の装着用の鏡の断面図である。
【図８】本発明の実施の形態２に係わる他の装着用の鏡の断面図である。
【図９】本発明の実施の形態２に係わる他の装着用の鏡の断面図である。
【図１０】本発明の実施の形態２に係わる他の装着用の鏡の断面図である。
【図１１】本発明の実施の形態２に係わる他の装着用の鏡の断面図である。
【図１２】本発明の実施の形態２に係わる他の装着用の鏡の断面図である。
【図１３】本発明の実施の形態１・２に係わる装着用の鏡の取り付け部の断面図である。
【図１４】本発明の実施の形態１・２に係わる装着用の鏡の他の取り付け部の断面図である。
【図１５】本発明の実施の形態１・２に係わる装着用の鏡の他の取り付け部の断面図である。
【図１６】本発明の実施の形態１・２に係わる装着用の鏡の他の取り付け部の断面図である。
【図１７】本発明の実施の形態１・２に係わる装着用の鏡の他の取り付け部の断面図である。
【図１８】本発明の実施の形態１・２に係わる装着用の鏡の鏡部の正面図である。
【図１９】本発明の実施の形態２に係わる装着用の鏡の接続部の側面図である。
【図２０】本発明の実施の形態２に係わる装着用の鏡の他の接続部の側面図である。
【図２１】本発明の実施の形態２に係わる装着用の鏡の接続部の断面図兼側面図である。
【図２２】本発明の実施の形態２に係わる装着用の鏡の他の接続部の側面図である。
【図２３】本発明の実施の形態２に係わる装着用の鏡の他の接続部の断面図兼側面図である。
【図２４】本発明の実施の形態２に係わる装着用の鏡の他の接続部の側面図である。
【発明を実施するための形態】
【００１９】  以下、本発明の装着用の鏡Ｍの実施の形態について図面を用いて説明する。図１〜図５は取り付け部１と鏡部３とで構成している。図６〜図１２は取り付け部１と接続部２と鏡部３とで構成している。
【００２０】  まず、本発明の装着用の鏡Ｍの取り付け部１であるが、支持片５と支持片５の両端から直角方向へ平行に伸びる挿着手段の備わる片を備えた断面コ字形のもので形成している。前記挿着手段の備わる片には、鋸歯形の断面形状からなるストッパー７を内設した挿着片４（図１〜図１５参照）や、先端に突片２１を備えた挿着片４（図１６・図１７参照）などがある。前記ストッパー７は、波形の断面形状のものや凹凸からなる断面形状のものなどとすることもできる。そして、このストッパー７の山の先端部分を、挿着片４に対して直角方向へ向けてもストッパーとしての効果を得ることはできるが、装着のしやすさとストッパーとしての効果をさらに期待するのであれば支持片５側へ傾ける方がよい。それは、ストッパー７の山の先端部分を支持片５側へ傾けることにより、装着物へ装着するときには、取り付け方向１６での装着物への抵抗を弱くすることができるので簡単に取り付けることができるからである。また、装着物へ取り付けて使用中のときには、取り外し方向１７での装着物への抵抗を強くすることができるので簡単に脱落することがなくなるからである。図１〜図１５に示すストッパー７は、山の先端部分を支持片５側へ傾けたものである。尚、挿着片４にストッパー７を設けずに装着物への装着をさらに簡単なものにすることもできるが、装着物から簡単に脱落することを防ぐには、やはりストッパー７を設けたほうが有利であろう。また、ストッパーとしての効果のみを期待するのであれば、ヤスリ状のような表面部からなるものをストッパーとすることもできるが、装着のしやすさの点から考えると、やはり前記で示したストッパー７が有利である。ちなみに、このストッパー７と挿着片４は、一体に形成するのが普通であるが、別体のものを接合して形成することも可能である。また、挿着片４には板状、環状又は棒状のものがあり、一方の片を板状にして残りの片を板状又は環状若しくは棒状としたり、又は、一方の片を環状にして残りの片を環状若しくは棒状としたり、又は、両方の片を棒状とするのでもよい。図１〜図１５に示す挿着片４は両方の片を板状にしたものであり、ストッパー７と一体に形成したものである。また、図１６・図１７に示す挿着片４も両方の片を板状にしたものである。ちなみに、ストッパー７・突片２１・挿着片４・支持片５は弾性変形体とするのが好ましい。
【００２１】  前記取り付け部１には、例えば、図１〜図１２のように挿着片４の先端に起曲片２３を設けて装着物へ挿入するときに装着物の引っかかりを防ぎ挿入しやすくしたものや、図１３のように支持片５の両端に突設体１４を設けて装着物へ挿入するときに指先などで突設体１４を両側から押すことで挿着片４の間が開いて装着物への挿入をしやすくしたものや、図１４・図１５のように挿着片４の一方に底板２２が一端に備わったネジ１８やピン１９を設けてストッパー効果をさらに高めたものや、図１６・図１７のように突片２１を先端に備えた挿着片４で傘の傘骨１５などを挟み込めるようにしたものなどがある。尚、前記ネジ１８やピン１９のそれぞれの片端には、装着物への食い込みを防止するために底板２２を設けているが、装着する装着物によっては底板２２を必要としない場合も想定される。また、前記ピン１９にはバネ２０を備えるのが好ましい。
【００２２】  つまり、取り付け部１を装着物へ装着するときは、装着物にふたつの挿着片４の先端の間をもって行き、図１〜図１２の場合は支持片５あたりを指先などで取り付け方向１６へ押し込むだけで、また、図１３の場合は突設体１４を指先などで取り付け方向１６へ押し込むだけで、図１４の場合はネジ１８を上へ回し上げた状態で支持片５あたりを指先などで取り付け方向１６へ押し込むだけで、図１５の場合はピン１９を上へ軽く持ち上げた状態で支持片５あたりを指先などで取り付け方向１６へ押し込むだけで、装着物へ簡単に装着することができるのである。ちなみに、図１〜図１５で示したように、ふたつの挿着片４の間を初めから若干開けておくと装着物への装着をさらに簡単なものにできることもつけ加えておこう。また、図１６・図１７の取り付け部１は傘の傘骨１５などへ装着することができるものであり、図１６の場合は突片２１の外側を傘の傘骨１５などへあててから支持片５あたりを指先などで取り付け方向１６へ押し込むと、また、図１７の場合は突片２１の外側を傘の傘骨１５などへあててから突設体１４を指先などで取り付け方向１６へ押し込むと、弾性変形する支持片５や挿着片４や挿着片４の先端に備えた突片２１の作用によって、閉じていたふたつの挿着片４の間が開いて傘骨１５などを挟み、そして、挟み込みを完了すると再びふたつの挿着片４の間が閉じるので、傘の傘骨１５などへ簡単に装着することができるのである。尚、装着物とは、帽子やヘルメットその他ヘッドバンドなどの様に身に付けるものや、鞄などの様に背負うものや肩に掛けるもの、手に持つものなどのことである。
【００２３】  つぎに、本発明の装着用の鏡Ｍの接続部２であるが、取り付け部１の一端と鏡部３の一端との間に介在しており、屈曲自在で且つ屈曲姿勢を保持する形態が兼ね備わる棒状のもので形成している（図６参照）。また、ほかの接続部２として、例えば、図７・図１９のように軸１３を有するヒンジ部６が両端に備わったものや、図８・図２０のように一端に軸１３を有するヒンジ部６が備わり残りの一端に凸部９が備わったものや、図９・図２１のように一端に軸１３を有するヒンジ部６が備わり残りの一端に凹部８が備わったものや、図１０・図２２のように一端に軸１３を有するヒンジ部６が備わった屈曲自在で且つ屈曲姿勢を保持する形態が兼ね備わる棒状のものや、図１１・図２３のように一端に凹部８が備わった屈曲自在で且つ屈曲姿勢を保持する形態が兼ね備わる棒状のものや、図１２・図２４のように一端に凸部９が備わった屈曲自在で且つ屈曲姿勢を保持する形態が兼ね備わる棒状のもので形成しているものなども考えられる。尚、前記の棒状のものとしているところは板状又は環状のものとすることもできる。また、前記の凹部８は球面状に形成され、凸部９は球体状に形成されるのが普通である。ちなみに、凹部８は弾性変形体とするのが好ましい。
【００２４】  つまり、接続部２自体が屈曲することによって鏡部３を正逆に回転及び若干の角度で回動させることができたり、又は、接続部２の一端と取り付け部１の一端との接合部分が軸となって鏡部３を正逆に回転または若干の角度で回動させることができたり、又は、接続部２の一端と鏡部３の一端との接合部分が軸となって鏡部３を正逆に回転または若干の角度で回動させることができるので、鏡１１を状況に応じて前方や後方などの好みの方向へ向けることができるのである。
【００２５】  つぎに、本発明の装着用の鏡Ｍの鏡部３であるが、鏡受け１０に鏡１１を備えたもので形成している（図１８参照）。この鏡１１と鏡受け１０は、別体のものを接合して形成するのが普通であるが、一体に形成することも可能である。そして、形状は図１８に示すような円形状としているが、大きさや形状は多種とすることができる。また、図１〜図１２に示す鏡部３では、鏡受け１０の片面のみに鏡１１を設けているが、図示はしないが残りの面に鏡１１や反射テープ又は反射塗料や蛍光塗料あるいは電球やＬＥＤなどの発光体を設けることも可能である。
【００２６】  つまり、鏡１１に後方などの状況を映しだして確認することができたり、鏡面の反射を利用して装着者であるこちら側の存在を前方や後方などへ知らせることもできるのである。ちなみに、図１〜図１２・図１８に示す鏡部３は、鏡１１と一端につまみ１２を設けた鏡受け１０とを接合して形成したものである。尚、鏡１１は、平面鏡に限らず、凹面鏡や凸面鏡でも良い。また、つまみ１２は設けなくてもよいが、鏡部３の向きを変えるときに鏡面などが指で汚れるのを防いでくれるので有ると便利である。
【００２７】  （実施の形態１）
本発明の実施の形態１に係わる装着用の鏡Ｍについて図１〜図５を用いて説明する。実施の形態１に係わる装着用の鏡Ｍは、前記取り付け部１と前記鏡部３とで構成している。図１は本発明の実施の形態１に係わる装着用の鏡の断面図であり、図２〜図５は本発明の実施の形態１に係わる他の装着用の鏡の断面図である。図１の装着用の鏡Ｍは、支持片５と支持片５の両端から直角方向へ平行に伸びて先端に起曲片２３を設けた鋸歯形の断面形状のストッパー７が内設する挿着片４を備えた断面コ字形の取り付け部１と、一端につまみ１２を設けた鏡受け１０の片面に鏡１１を備えた円形状の鏡部３が、前記取り付け部１の一端にあるヒンジ部６と前記鏡部３の一端にあるヒンジ部６とを軸１３で接合して形成したものである。図２・図３の装着用の鏡Ｍは、前記取り付け部１と、前記鏡部３が、前記取り付け部１の一端にある凹部８に前記鏡部３の一端にある凸部９を差し込んで接合して形成したものである。図４・図５の装着用の鏡Ｍは、前記取り付け部１と、前記鏡部３が、前記取り付け部１の一端にある凸部９を前記鏡部３の一端にある凹部８に差し込んで接合して形成したものである。そして、この接合部分が軸となって鏡部３を若干の角度で回動させることができたり、又は、この接合部分が軸となって鏡部３を正逆に回転及び若干の角度で回動させることができるので、鏡１１を状況に応じて前方や後方などの好みの方向へ向けることができるのである。また、取り付け部１と、鏡部３とが、それぞれに分離することができるので、破損したときなどは、その破損した部位だけの交換で使用が可能となるのである。尚、取り付け部１と鏡部３の一端にある凹部８は球面状に形成しており、凸部９は球体状に形成している。ちなみに、取り付け部１と鏡部３の一端にある凹部８は弾性変形体としている。
【００２８】  実施の形態１の装着用の鏡Ｍは以上のように構成されているので、装着物へ装着するときは、前記で説明した挿着手段の備わる片を備えた取り付け部１によって簡単に装着物へ取り付けることができるのである。また、装着物へ取り付けて使用中のときには、前記で説明した鏡１１を備えた鏡部３によって後ろなどを振り向くことなく後方などの状況を確認することができるので、前方不注意による事故やケガなどを防ぐことができるのである。また、後ろから来る人などへさりげなく道を譲ることなどにも役立てることができたり、鏡面の反射を利用して装着者であるこちら側の存在を前方や後方などへ知らせることもできるのである。
【００２９】  （実施の形態２）
本発明の実施の形態２に係わる装着用の鏡Ｍについて図６〜図１２を用いて説明する。実施の形態２に係わる装着用の鏡Ｍは、前記取り付け部１と前記接続部２と前記鏡部３とで構成している。図６は本発明の実施の形態２に係わる装着用の鏡の断面図であり、図７〜図１２は本発明の実施の形態２に係わる他の装着用の鏡の断面図である。図６の装着用の鏡Ｍは、支持片５と支持片５の両端から直角方向へ平行に伸びて先端に起曲片２３を設けた鋸歯形の断面形状のストッパー７が内設する挿着片４を備えた断面コ字形の取り付け部１と、一端につまみ１２を設けた鏡受け１０の片側に鏡１１を備えた円形状の鏡部３が、前記取り付け部１の一端と前記鏡部３の一端との間に介在する屈曲自在で且つ屈曲姿勢を保持する形態が兼ね備わる棒状の接続部２と互いに接合しあい形成するものであって、この接続部２の一端を前記取り付け部１の一端へ差し込んで接合し、この接続部２の残りの一端を前記鏡部３の一端へ差し込んで接合して形成したものである。図７の装着用の鏡Ｍは、前記取り付け部１と、前記鏡部３が、前記取り付け部１の一端と前記鏡部３の一端との間に介在する軸１３を有するヒンジ部６が両端に直交で備わる接続部２と互いに接合しあい形成するものであって、この接続部２の一端にあるヒンジ部６と前記取り付け部１の一端にあるヒンジ部６とを軸１３で接合し、この接続部２の残りの一端にあるヒンジ部６と前記鏡部３の一端にあるヒンジ部６とを軸１３で接合して形成したものである。図８の装着用の鏡Ｍは、前記取り付け部１と、前記鏡部３が、前記取り付け部１の一端と前記鏡部３の一端との間に介在する一端に軸１３を有するヒンジ部６が備わり残りの一端に凸部９が備わる接続部２と互いに接合しあい形成するものであって、この接続部２の一端にあるヒンジ部６と前記取り付け部１の一端にあるヒンジ部６とを軸１３で接合し、この接続部２の残りの一端にある凸部９を前記鏡部３の一端にある凹部８に差し込んで接合して形成したものである。図９の装着用の鏡Ｍは、前記取り付け部１と、前記鏡部３が、前記取り付け部１の一端と前記鏡部３の一端との間に介在する一端に軸１３を有するヒンジ部６が備わり残りの一端に凹部８が備わる接続部２と互いに接合しあい形成するものであって、この接続部２の一端にあるヒンジ部６と前記取り付け部１の一端にあるヒンジ部６とを軸１３で接合し、この接続部２の残りの一端にある凹部８に前記鏡部３の一端にある凸部９を差し込んで接合して形成したものである。図１０の装着用の鏡Ｍは、前記取り付け部１と、前記鏡部３が、前記取り付け部１の一端と前記鏡部３の一端との間に介在する一端に軸１３を有するヒンジ部６が備わった屈曲自在で且つ屈曲姿勢を保持する形態が兼ね備わる棒状の接続部２と互いに接合しあい形成するものであって、この接続部２の一端にあるヒンジ部６と前記取り付け部１の一端にあるヒンジ部６とを軸１３で接合し、この接続部２の残りの一端を前記鏡部３の一端へ差し込んで接合して形成したものである。図１１の装着用の鏡Ｍは、前記取り付け部１と、前記鏡部３が、前記取り付け部１の一端と前記鏡部３の一端との間に介在する一端に凹部８が備わった屈曲自在で且つ屈曲姿勢を保持する形態が兼ね備わる棒状の接続部２と互いに接合しあい形成するものであって、この接続部２の一端にある凹部８に前記取り付け部１の一端にある凸部９を差し込んで接合し、この接続部２の残りの一端を前記鏡部３の一端へ差し込んで接合して形成したものである。図１２の装着用の鏡Ｍは、前記取り付け部１と、前記鏡部３が、前記取り付け部１の一端と前記鏡部３の一端との間に介在する一端に凸部９が備わった屈曲自在で且つ屈曲姿勢を保持する形態が兼ね備わる棒状の接続部２と互いに接合しあい形成するものであって、この接続部２の一端にある凸部９を前記取り付け部１の一端にある凹部８に差し込んで接合し、この接続部２の残りの一端を前記鏡部３の一端へ差し込んで接合して形成したものである。そして、この接合部分が軸となって鏡部３を正逆に回転または若干の角度で回動させることができたり、又は、接続部２自体が屈曲することによって鏡部３を正逆に回転及び若干の角度で回動させることができるので、鏡１１を状況に応じて前方や後方などの好みの方向へ向けることができるのである。また、取り付け部１と、接続部２と、鏡部３とが、それぞれに分離することができるので、使用するときの状況に応じて各部位（取り付け部１、接続部２、鏡部３のそれぞれ）の交換をすることができたり、破損したときなどは、その破損した部位だけの交換で使用が可能となるのである。尚、取り付け部１と接続部２と鏡部３の一端にある凹部８は球面状に形成しており、凸部９は球体状に形成している。ちなみに、取り付け部１と接続部２と鏡部３の一端にある凹部８は弾性変形体としている。
【００３０】  実施の形態２の装着用の鏡Ｍは以上のように構成されているので、装着物へ装着するときは、実施の形態１と同じく、前記で説明した挿着手段の備わる片を備えた取り付け部１によって簡単に装着物へ取り付けることができるのである。また、装着物へ取り付けて使用中のときには、これも実施の形態１と同じく、前記で説明した鏡１１を備えた鏡部３によって後ろなどを振り向くことなく後方などの状況を確認することができるので、前方不注意による事故やケガなどを防ぐことができるのである。また、後ろから来る人などへさりげなく道を譲ることなどにも役立てることができたり、鏡面の反射を利用して装着者であるこちら側の存在を前方や後方などへ知らせることもできるのである。
【符号の説明】
【００３１】  １  取り付け部
２  接続部
３  鏡部
６  ヒンジ部
８  凹部
９  凸部
Ｍ  装着用の鏡
【図１】
2011080182.tif 000003
【図２】
2011080182.tif 000004
【図３】
2011080182.tif 000005
【図４】
2011080182.tif 000006
【図５】
2011080182.tif 000007
【図６】
2011080182.tif 000008
【図７】
2011080182.tif 000009
【図８】
2011080182.tif 000010
【図９】
2011080182.tif 000011
【図１０】
2011080182.tif 000012
【図１１】
2011080182.tif 000013
【図１２】
2011080182.tif 000014
【図１３】
2011080182.tif 000015
【図１４】
2011080182.tif 000016
【図１５】
2011080182.tif 000017
【図１６】
2011080182.tif 000018
【図１７】
2011080182.tif 000019
【図１８】
2011080182.tif 000020
【図１９】
2011080182.tif 000021
【図２０】
2011080182.tif 000022
【図２１】
2011080182.tif 000023
【図２２】
2011080182.tif 000024
【図２３】
2011080182.tif 000025
【図２４】
2011080182.tif 000026